(57)【特許請求の範囲】
【請求項１】
画像を画像信号に変換する光学系と、前記光学系により入力された画像信号を処理する信号処理手段と、前記信号処理手段の出力信号に応じて前記光学系を制御する第１の光学系制御手段と、静止画像の撮影を指示する静止画像撮影指示手段と、前記信号処理手段の前段に設けられ、前記静止画像撮影指示手段から前記静止画像撮影指示があったときに、撮像された静止画像の信号を保持するメモリとを有するカメラ一体型ビデオテープレコーダにおいて、
前記静止画像撮影指示手段により静止画像の撮影指示があったとき、前記第１の光学系制御手段による前記光学系の制御を停止し、予め設定された所定の状態で前記光学系を制御する第２の光学系制御手段を有することを特徴とするカメラ一体型ビデオテープレコーダ。
【請求項２】
前記光学系は、入射光量を制御する絞りと、
前記撮像画像に応じて絞りを制御する絞り制御機能と、
ズームレンズを移動させるズームレンズ駆動機能と、
フォーカスレンズを駆動させるフォーカスレンズ駆動機能を有し、
前記第１の光学系制御手段は、前記光学系の前記フォーカスレンズ駆動機能を制御して、自動焦点制御を行う自動焦点機能と、
前記信号処理手段の出力信号に応じて前記絞り制御機能による前記絞りの制御量を補正する絞り補正機能とを有し、
前記第２の光学系制御手段は、前記静止画像撮影指示手段により静止画像の撮影指示があったとき、前記第１の光学系制御手段の前記自動焦点機能、及び、前記絞り補正機能を停止させるとともに、前記光学系のズーム駆動機能を制御して、ズーム位置をワイド端に移動させ、焦点深度を最低とし、かつ、前記フォーカス駆動機能を制御して、フォーカス位置を遠方側に移動させ、前記光学系の前記絞りを前記光学系の前記絞り制御機能によってのみで制御することを特徴とする請求項１記載のカメラー体型ビデオテープレコーダ。
【発明の詳細な説明】
【０００１】
【発明の属する技術分野】
本発明はカメラー体型ビデオテープレコーダに係り、特に、信号処理手段の前段に静止画像を保持するメモリを有するカメラ一体型ビデオテープレコーダに関する。
【０００２】
【従来の技術】
一般にディジタルビデオカメラなどの民生用カメラ一体型ピデオテープレコーダでは、自動焦点・自動白バランス、自動絞りなどの制御には、撮像した映像の映像信号そのものが使用されている。
図４は従来のカメラ一体型ビデオテープレコーダのブロック構成図である。同図中、１０はカメラのレンズブロックを示す。レンズブロック１０は、絞り（ＩＲＩＳ）１１、ズームレンズ１２、フォーカスレンズ１３から構成される。
【０００３】
レンズブロック１０に入射した光学情報は、撮像素子であるＣＣＤ（Charge Coupled Device ）２１に供給される。ＣＣＤ２１は、光学情報を電気信号に変換する。ＣＣＤ２１で変換された電気信号は、ＣＤＳ（Correlated Double Sampling；相関二重サンプリング素子）に供給される。
ＣＤＳ２２は、ＣＣＤ２１からの電気信号をサンプリングし、かつ、増幅する。ＣＤＳ２２でダブルサンプリングされたアナログ信号はＡＤＣ（Analog-Digital Converter）に供給される。
【０００４】
ＡＤＣ２３は、ＣＤＳ２２でダブルサンプリングされたアナログ信号をディジタル信号に変換する。ＡＤＣ２３で変換されたディジタル信号は、ＤＳＰ（Digital Analog Processor）２４に供給される。
ＤＳＰ２４は、ＡＤＣ２３から供給されたディジタル映像信号をＹ（輝度）信号とＣ（色）信号に分離し、かつ、Ｙ、Ｃ信号に所定の処理を施し、Ｙ、Ｃそれぞれディジタル信号のまま出力する。ＤＳＰ２４で処理されたＹ、Ｃのディジタル信号は、スチル撮像時には、フィールドメモリ２５に供給され、動画像撮像時には、フィールドメモリ２５をスルーしてビデオテープレコーダに供給される。
【０００５】
ＣＣＤ２１、ＣＤＳ２２、ＡＤＣ２３、ＤＳＰ２４、フィールドメモリ２５は、タイミングジェネレータ（ＴＧ；Timing Generator）２６と接続されており、タイミングジェネレータ２６から供給されるクロックパルスと同期信号に応じて処理を行う。
２７は、光学系コントローラで、レンズの絞りと焦点を制御するためのオートイクスパージャ（ＡＥ）、及び、オートフォーカス（ＡＦ）を行う。
【０００６】
また、３１はカメラマイコンで、ＥＥＰＲＯＭ３２に記憶された合焦・絞りに関するデータを参照することにより、ＤＳＰ２４、ＴＧ２６のパラメータ設定を行うと同時に、ＤＳＰ２４内部で検出される映像信号のデータを使用して、合焦・絞りの制御を行う。
４１はビデオカメラ全体の動作を制御するシステムマイコンで、記録、再生、ズーム等各種機能を撮影者の操作に従い各部に指令を発する。５１は、ビデオテープレコーダ部で、ＤＳＰ２４の出力を磁気テープに記録する。６１は、操作部で、ビデオテープレコーダ部５１の動画撮像、スチル撮像などの動作を指示するとともに、ズームレンズの位置を変更するための操作を行う。
【０００７】
なお、白バランスは、ＤＳＰ２４内で色差信号Ｒ‐Ｙ，Ｂ‐Ｙの係数を適切に選択することによりなされる。
このとき、カメラ一体型ビデオテープレコーダ１では、フィールドメモリ２５にはＹ／Ｃ分離後のデータが記憶されるので、フィールドメモリ２５には、Ｙ信号、Ｃ信号双方を記憶する必要があり、１フィールドで約１．８〜２．５Ｍビット（ＮＴＳＣの場合）の記憶容量が必要となる。
【０００８】
このフィールドメモリ２５のメモリ容量の低減を行い、コスト削減を図るため、フィールドメモリ２５をＤＳＰの前段に配置した構成のカメラ一体型ビデオテープレコーダがある。
図５に従来のフィールドメモリをＤＳＰの前段に配置したカメラ一体型ビデオテープレコーダのブロック構成図を示す。同図中、図４と同一構成部分には同一符号を付し、その説明は省略する。
【０００９】
図５のカメラ一体型ビデオテープレコーダ２００は、図４のカメラ一体型ビデオテープレコーダ１００で、フィールドメモリ２５をＤＳＰ２４の前段に配置してなる。フィールドメモリ２５をＤＳＰ２４の前段に配置することにより、フィールドメモリ２５には、ＤＳＰ２４にＹ／Ｃ分離が行われる前の、映像信号が記憶されるため、図４のカメラ一体型ビデオテープレコーダ１００のフィールドメモリ２５に比べてメモリ容量は少なくて済む。例えば、図４のカメラ一体型ビデオテープレコーダ１００に比べて、フィールドメモリ２５の記憶容量を約３０〜４０％低減でき、ＮＴＳＣ方式で、１．２〜１．５Ｍバイトの記憶容量のメモリで構成できる。
【００１０】
【発明が解決しようとする課題】
しかるに、従来の図４に示すカメラ一体型ビデオテープレコーダ１００では、フィールドメモリ２５がＤＳＰ２４の後段に配置されているため、映像信号をＹ／Ｃ分離した後のＹ（輝度）信号とＣ（色）信号とをフィールドメモリ２５に記憶する必要があり、フィールドメモリ２５のメモリ容量としてＹ信号、Ｃ信号双方が必要とされ、例えば、ＮＴＳＣ方式の場合、１フィールドで約１．８〜２．５Ｍバイトの記憶容量が必要となるため、フィールドメモリ２５に容量の大きいメモリを使用する必要があり、コスト高になる等の問題点があった。
【００１１】
また、図４のフィールドメモリをＤＳＰの前段に配置した図５に示すようなカメラ一体型ビデオテープレコーダ２００では、フィールドメモリ２５がＤＳＰ２４の前段、すなわち、映像信号をＹ／Ｃ分離前に位置しているため、メモリ容量は１．２〜１．５Ｍバイトでよいが、次に挙げるような問題点が生じていた。
すなわち、動画像を撮影する場合には、レンズスルーのデータがリアルタイムにＤＳＰ２４に供給され、カメラマイコン３１にフィードバックされ、フォーカス制御、絞り制御を行うので、フォーカス制御、絞り制御の動作に何ら問題は生じない。ところが、スチル画像撮影時には、レンズスルーの画像データは、まず、フィールドメモリ２５に供給され、ＤＳＰ２４には、フィールドメモリ２５に記憶された映像データが供給されるので、ＤＳＰ２４では、フィールドメモリ２５に記憶された過去の映像データによりフォーカス制御、及び、絞り制御が行われることになるので、これを用いてフォーカス制御、及び、絞り制御を行っても無意味となってしまう。
【００１２】
例えば、スチル画像撮影中にカメラの向く方向が変わると、レンズの制御に用いられるＤＳＰ２４に供給される映像データも変わらなければならないにもかかわらず、ＤＳＰ２４に供給される映像データが過去のスチル画像のものであるため、ＤＳＰ２４に供給される映像データは変わらず、撮影しようとするスチル画像の方向とは異なる方向でのフォーカス制御、及び、絞り制御が行われてしまう。したがって、レンズ固定状態でのスチル撮影となっていしまう。
【００１３】
また、スチル撮影が終了し、動画撮影の切り替わった時、スチル撮影の直前と直後の被写体が一致していれば、画像のポケや絞り量の不適切な状態はは生じないが、一般には、スチル撮影の直前と直後とで被写体が一致することは希である。このため、スチル撮影直後の動画撮影では過渡的ではあるが、レンズスルーの入力データの取り込みと処理に一定の時間がかかるため、焦点が合わずぼけたり、絞りが適切でないため露光量の過不足が生じる場合があった。とりわけ、望遠撮影の映像をスチル撮影し、その直後に近距離を動画撮影をする場合、望遠レンズの位置によっては、フォーカスレンズをどの様に動かしても合焦しない場合があり、この時は望遠レンズをワイド側に戻す等の特殊な操作が必要であり、操作性が良くない等の問題点があった。
【００１４】
本発明は上記の点に鑑みてなされたもので、静止画像撮影状態から動画像撮影状態への切り換え時に、光学系の各種制御をスムーズに行えるカメラ一体型ビデオテープレコーダを提供することを目的とする。
【００１５】
【課題を解決するための手段】
本発明の請求項１は、画像を画像信号に変換する光学系と、前記光学系により入力された画像信号を処理する信号処理手段と、前記信号処理手段の出力信号に応じて前記光学系を制御する第１の光学系制御手段と、静止画像の撮影を指示する静止画像撮影指示手段と、前記信号処理手段の前段に設けられ、前記静止画像撮影指示手段から前記静止画像撮影指示があったときに、撮像された静止画像の信号を保持するメモリとを有するカメラ一体型ビデオテープレコーダにおいて、前記静止画像撮影指示手段により静止画像の撮影指示があったとき、前記第１の光学系制御手段による前記光学系の制御を停止し、予め設定された所定の状態で前記光学系を制御する第２の光学系制御手段を有することを特徴とする。
【００１６】
請求項１によれば、第２の光学系制御手段により、静止画像撮影指示手段により静止画像の撮影指示があったとき、第１の光学系制御手段による光学系の制御を停止し、動画像のスタンバイ状態で光学系を制御することにより、静止画像撮影から動画像撮影に戻ったときに、メモリに記憶された遅れた信号を処理手段が処理して得た出力信号に応じて光学系が制御されることがなく、光学系が動画像のスタンバイの状態から、動画像の撮影を行うことができるため、光学系の状態を迅速に動画像撮影の状態に移行できる。
【００１７】
請求項２は、前記光学系が、入射光量を制御する絞りと、
前記撮像画像に応じて絞りを制御する絞り制御機能と、
ズームレンズを移動させるズームレンズ駆動機能と、
フォーカスレンズを駆動させるフォーカスレンズ駆動機能を有し、
前記第１の光学系制御手段が、前記光学系の前記フォーカスレンズ駆動機能を制御して、自動焦点制御を行う自動焦点機能と、
前記信号処理手段の出力信号に応じて前記絞り制御機能による前記絞りの制御量を補正する絞り補正機能とを有し、
前記第２の光学系制御手段により、前記静止画像撮影指示手段により静止画像の撮影指示があったとき、前記第１の光学系制御手段の前記自動焦点機能、及び、前記絞り補正機能を停止させるとともに、前記光学系のズーム駆動機能を制御して、ズーム位置をワイド端に移動させ、焦点深度を最低とし、かつ、前記フォーカス駆動機能を制御して、フォーカス位置を遠方側に移動させ、前記光学系の前記絞りを前記光学系の前記絞り制御機能によってのみで制御することを特徴とする。
【００１８】
請求項２によれば、第２の光学系制御手段により、静止画像撮影指示手段により静止画像の撮影指示があったとき、第１の光学系制御手段の前記自動焦点機能、及び、前記絞り補正機能を停止させるとともに、光学系のズーム駆動機能を制御して、ズーム位置をワイド端に移動させ、焦点深度を最低とし、かつ、フォーカス駆動機能を制御して、フォーカス位置を遠方側に移動させ、ボケを低減し、絞り制御を光学系の絞り制御機能によってのみ制御することにより、静止画像撮影から動画像撮影に切り換えられたときに、ボケの少ない動画像が得られ、また、絞り制御を光学系の絞り制御機能によってのみ制御することにより、静止画像撮影から動画像撮影に切り換えられたときの絞りの状態が誤って制御されることがなくなり、静止画像撮影から動画像撮影に切り換えられたときに、動画像の状態に応じた状態に光学系をスムーズに移行できる。
【００１９】
【発明の実施の形態】
図１に本発明のカメラ一体型ビデオテープレコーダの一実施例のブロック構成図を示す。同図中、図４と同一構成部分には同一符号を付し、その説明は省略する。
本実施例は、図４と同様にフィールドメモリはＤＳＰの前段に配置されている。この場合は、Ｙ／Ｃ分離前の信号がフィールドメモリ２５に記憶されるため、、図３のカメラ一体型ビデオテープレコーダ１００と比較し、フィールドメモリ２５の記憶容量を約３０〜４０％低減でき、コスト面で有利となる。
【００２０】
本実施例のカメラ一体型ビデオテープレコーダ１は、回路構成は図４と同様であるが、カメラマイコン７１によるコントロールが相違する。
ここで、カメラマイコン７１の制御を詳細に説明するために、まず、本実施例のカメラ一体型ビデオテープレコーダ１に適用される光学系コントローラ２７について説明する。
【００２１】
図２に本発明のカメラ一体型ビデオテープレコーダの一実施例の光学系コントローラのブロック構成図を示す。
本実施例の光学系コントローラ２７は、絞り１１を駆動する駆動信号を出力する絞り増幅器２７−１、ＣＤＳ２２の出力アナログ信号からピーク電圧を検出するピーク電圧検出器２７−２、ＤＳＰ２４の出力信号に応じてカメラマイコン７１により設定される絞りデータに応じた電圧を適応的に出力する電子ボリューム（Ｅ−ＶＲ）２７−３、ＤＳＰ２４の出力信号に応じてカメラマイコン７１により設定されるフォーカスデータに応じたフォーカス駆動信号を生成するフォーカス駆動回路２７−４、システムマイコン４１から操作部６１の操作に応じて供給されるズーム制御信号に応じてカメラマイコン７１により設定されるズームデータに応じたズーム駆動信号を生成するズーム駆動回路２７−５から構成される。
【００２２】
絞り増幅器２７−１は、例えば、差動増幅回路から構成され、ピーク電圧検出器２７−２で検出された検出ピーク電圧と電子ボリューム２７−３から供給される電圧との差動電圧を求め、絞り１１に供給する。絞り１１は、絞り増幅器２７−１から供給された電圧が大きければ、絞り１１の絞り量を減少させ、絞り増幅器２７−１から供給された電圧が小さければ、絞り１１の絞り量を増加させる。
【００２３】
フォーカス駆動回路２７−４には、カメラマイコン７１からフォーカス制御データが供給される。フォーカス駆動回路２７−４は、カメラマイコン７１から供給されたフォーカス制御データに応じたフォーカス駆動信号を生成し、フォーカスレンズ１３に供給する。フォーカスレンズ１３は、フォーカス駆動回路２７−４から供給される駆動信号に応じて移動され、所望の被写体に合焦する。
【００２４】
ズーム駆動回路２７−５には、カメラマイコン７１からズーム制御データが供給される。ズーム駆動回路２７−５は、カメラマイコン７１から供給されたズーム制御データに応じたズーム駆動信号を生成し、ズームレンズ１２に供給する。ズームレンズ１２は、ズーム駆動回路２７−５から供給されるズーム駆動信号に応じて移動され、ズーム倍率が制御される。
【００２５】
カメラマイコン７１は、システムマイコン４１からのデータに応じて動画撮影処理、及び、スチル撮影処理などを実行する。
システムマイコン４１は、操作部６１からの指示信号に応じてシステムを制御する。システムマイコンは４１は、操作部６１によりスチル撮影が選択されると、カメラマイコン７１に対してスチル撮影処理を行う旨の指示を行う。
【００２６】
カメラマイコン７１は、システムマイコン４１からのスチル撮影処理を行う旨の指示に応じてスチル撮影処理を実行する。
次に、本実施例の要部である、カメラマイコン７１のスチル撮影処理の動作について説明する。
図３に本発明のカメラ一体型ビデオテープレコーダの一実施例のカメラマイコンのスチル撮影処理のフローチャートを示す。
【００２７】
カメラマイコン７１は、システムマイコン４１からスチル撮影処理を行う旨の指示があると（ステップＳ１−１）、フィールドメモリにスチル画像を記憶し（ステップＳ１−２）、その後、直ちに、ズーム駆動回路２７−５に対してズームレンズ１２がワイド側に移動するズーム制御データを供給する（ステップＳ１−３）。ステップＳ１−３で、カメラマイコン７１からズーム駆動回路２７−５にズームレンズ１２をワイド側に移動させるズーム制御データが供給されると、ズーム駆動回路２７−５は、ズーム制御データに応じてズームレンズ１２をワイド側に移動させるズーム駆動信号を生成して、ズームレンズ１２を移動させるためのモータ（図示せず）に供給する。ズーム駆動回路２７−５から供給されるズーム駆動信号に応じてズームレンズ１２を移動させるためのモータが駆動され、ズームレンズ１２がワイド側に移動され、ワイド側で保持される。
【００２８】
カメラマイコン７１は、次に、フォーカス駆動回路２７−４にフォーカスレンズ１３を遠方（Ｆａｒ）側に移動させるフォーカス制御データを供給する（ステップＳ１−４）。ステップＳ１−２で、カメラマイコン７１からフォーカス駆動回路２７−５にフォーカスレンズ１３を遠方側に移動させるフォーカス制御データが供給されると、フォーカス駆動回路２７−４は、フォーカスレンズ１３を遠方側に移動させるフォーカス駆動信号を生成して、フォーカスレンズ１３を移動させるためのモータ（図示せず）に供給する。フォーカスレンズ駆動回路２７−４から供給されるフォーカス駆動信号に応じてフォーカスレンズ１３を移動させるためのモータが駆動され、フォーカスレンズ１３が遠方側に移動され、保持される。
【００２９】
また、カメラマイコン７１は、動画像撮影時にＤＰＳ２４の出力信号に応じてフォーカス駆動回路２７−１に所望の被写体にフォーカスが合うようなフォーカス制御データを生成して、フォーカス駆動回路２７−４に供給することにより、自動焦点を行うオートフォーカス機能を停止させる（ステップＳ１−５）。
ここで、本実施例の自動焦点制御について説明する。
【００３０】
本実施例では、自動焦点制御に、レンズスルーの画像信号の合焦時、画像信号の周波数成分が最も高くなるという原理を利用する。すなわち、ＤＰＳ２４での画像処理結果、画像信号の周波数成分が最も高くなるようにフォーカスレンズ１３の位置を制御する。
さらに、カメラマイコン７１は、電子ボリューム２７−３への新たなデータの供給を停止する（ステップＳ１−６）。カメラマイコン７１は、動画像撮像時には、ＤＰＳ２４の処理画像データに応じて予め設定された重みに応じた絞り補正データを供給し、きめ細かく自動絞り制御を行っている。例えば、画面中央はウェイティングを重く、上下は比較的軽くなどのきめ細かい絞りコントロールを行っている。
【００３１】
動画像撮像時には、上記自動絞り制御により画面の中央部分のピーク電圧を重視して制御し、画面周辺に中央より高いレベルの信号が存在してもこれは重視しないなどの適応的な制御が行われている。
しかし、上記自動絞り制御もＣＤＳ２４での処理画像データに基づいて行っているので、動画撮像時のレンズスルーの画像信号を処理している時には最適化できるが、フィールドメモリ２５を用いたスチル撮影時には、ＤＳＰ２４に供給される画像信号がフィールドメモリ２５に記憶された画像信号であるので、撮像しようとする画像とは限らないので、最適制御が行えない。
【００３２】
このため、スチル撮影時には、ステップＳ１−６に示すように電子ボリューム２７−３への新たな絞り補正データの供給を停止し、電子ボリューム２７−３の出力電圧を一定の電圧とする。電子ボリューム２７−３の出力を一定の電圧とすることにより、ＣＤＳ２２から供給されるアナログ画像信号のピーク値によってのみ、絞りが最適量に制御されることになる。
【００３３】
カメラマイコン７１は、システムマイコン４１からスチル撮影解除する旨の指示があるまで、上記ステップＳ１−３〜Ｓ１−６の状態を保持する（ステップＳ１−７）。
なお、システムマイコン４１では、操作部６１の操作に応じてスチル撮影の解除を認識する。システムマイコン４１は、操作部６１によりスチル撮影の解除操作が行われると、カメラマイコン７１に対してスチル撮影解除する旨の指示を供給する。
【００３４】
カメラマイコン７１は、ステップＳ１−５で、システムマイコン４１からスチル撮影解除する旨の指示が供給されると、ステップＳ１−３〜Ｓ１−６で設定したスチル撮影処理状態を解除して、スチル撮影処理を終了する（ステップＳ１−８）。
ステップＳ１−８で、ステップＳ１−３〜Ｓ１−６の状態が解除され、動画像撮像に復帰した場合、ズームレンズ１２はワイド側に移動され、フォーカスレンズ１３は遠方側に移動されており、この状態は、動画撮像時のスタンバイ状態であり、スチル撮影から動画撮影に切り替わった直後でも、合焦にかかる時間が小さくなり、また、ボケの発生を抑えることができる。
【００３５】
また、絞り制御は、カメラマイコン７１から電子ボリューム２７−３への新たなデータの伝送を停止し、フィールドメモリ２５の前段に設けられたＣＤＳ２２で処理されるアナログ信号のピーク値だけで制御されているので、スチル撮影から動画撮影に切り替わった直後に、フィールドメモリ２５に記憶された画像データにより電子ボリューム２７−３が制御され、不適切な制御が行われることがなくすぐに、適切な絞り量で撮像が行える。
【００３６】
【発明の効果】
上述の如く、本発明によれば、  請求項１によれば、第２の光学系制御手段により、静止画像撮影指示手段により静止画像の撮影指示があったとき、第１の光学系制御手段による光学系の制御を停止し、動画像のスタンバイ状態で光学系を制御することにより、静止画像撮影から動画像撮影に戻ったときに、メモリに記憶された遅れた信号を処理手段が処理して得た出力信号に応じて光学系が制御されることがなく、光学系が動画像のスタンバイの状態から、動画像の撮影を行うことができるため、光学系の状態を迅速に動画像撮影の状態に移行できる等の特長を有する。
【００３７】
請求項２によれば、第２の光学系制御手段により、静止画像撮影指示手段により静止画像の撮影指示があったとき、第１の光学系制御手段の前記自動焦点機能、及び、前記絞り補正機能を停止させるとともに、光学系のズーム駆動機能を制御して、ズーム位置をワイド端に移動させ、焦点深度を最低とし、かつ、フォーカス駆動機能を制御して、フォーカス位置を遠方側に移動させ、ボケを低減し、絞り制御を光学系の絞り制御機能によってのみ制御することにより、静止画像撮影から動画像撮影に切り換えられたときに、ボケの少ない動画像が得られ、また、絞り制御を光学系の絞り制御機能によってのみ制御することにより、静止画像撮影から動画像撮影に切り換えられたときの絞りの状態が誤って制御されることがなくなり、静止画像撮影から動画像撮影に切り換えられたときに、動画像の状態に応じた状態に光学系をスムーズに移行できる等の特長を有する。
【図面の簡単な説明】
【図１】本発明のカメラ一体型ビデオテープレコーダの一実施例のブロック構成図である。
【図２】本発明のカメラ一体型ビデオテープレコーダの一実施例の光学系コントローラのブロック構成図である。
【図３】本発明のカメラ一体型ビデオテープレコーダの一実施例のカメラマイコンのスチル撮影処理のフローチャートである。
【図４】従来のカメラ一体型ビデオテープレコーダの一例のブロック構成図である。
【図５】従来のカメラ一体型ビデオテープレコーダの他の一例のブロック構成図である。
【符号の説明】
１  カメラ一体型ビデオテープレコーダ
１１  絞り
１２  ズームレンズ
１３  フォーカスレンズ
２１  ＣＣＤ
２２  ＣＤＳ
２３  ＡＤＣ
２４  ＤＳＰ
２５  フィールドメモリ
２６  タイミングジェネレータ
２７  光学系コントローラ
２７−１  絞り増幅器
２７−２  ピーク電圧検出器
２７−３  電子ボリューム
２７−４  フォーカス駆動回路
２７−５  ズーム駆動回路
３２  ＥＥＰＲＯＭ
４１  システムマイコン
５１  ビデオテープレコーダ部
６１  操作部
７１  カメラマイコン
【図１】
0003799128.tif 000002
【図２】
0003799128.tif 000003
【図３】
0003799128.tif 000004
【図４】
0003799128.tif 000005
【図５】
0003799128.tif 000006